(57)【要約】      （修正有）【課題】フロートの耐久性を大幅に向上させることができるようにした太陽光発電装置を提供する。【解決手段】水上に設置されて発電を行う太陽光発電装置であって、外殻１１がステンレス鋼製の薄板を用いて密閉構造の矩形ボックス状に製作され、該外殻内には発泡樹脂材料１２が充填されてなり、水面に浮かすことのできるフロート１０と、該フロートの上面に搭載される架台３０と、該架台上に設置され、太陽光を受光して発電する太陽光発電モジュール２０と、を備える。外殻の側面には作業用足場４０を取付けるのがよい。【選択図】図２
2016078781.tif 000002
【特許請求の範囲】
【請求項１】
水上に設置されて発電を行う太陽光発電装置であって、
外殻（１１）がステンレス鋼製の薄板を用いて密閉構造の矩形ボックス状に製作され、該外殻（１１）内には発泡樹脂材料（１２）が充填されてなり、水面に浮かすことのできるフロート（１０）と、
該フロート（１０）の上面に搭載される架台（３０）と、
該架台（３０）上に設置され、太陽光を受光して発電する太陽光発電モジュール（２０）と、
を備えたことを特徴とする太陽光発電装置。
【請求項２】
上記外殻（１１）の側面には作業用足場（４０）が取付けられている請求項１記載の太陽光発電装置。
【請求項３】
水上に設置されて発電を行う太陽光発電装置に用いられるフロートにおいて、
外殻（１１）がステンレス鋼製の薄板を用いて密閉構造の矩形ボックス状に製作され、該外殻（１１）内には発泡樹脂材料（１２）が充填されて水面に浮かすことができるようになっていることを特徴とする太陽光発電装置用のフロート。
【発明の詳細な説明】
【技術分野】
【０００１】
本発明は太陽光発電装置に関し、特に海、湖沼、貯水池、養魚池などに設置して太陽光発電を行う装置に関する。
【背景技術】
【０００２】
太陽光発電は再生可能エネルギーを利用する発電設備であり、最近は原子力発電の環境への負荷が大きな問題となり、１ＭＷ以上の発電能力を有する、いわゆるメガソーラーが注目され、その設置例が増加する傾向にある。
【０００３】
この太陽光発電の設備では建屋屋上や地上に架台を構築し、架台に太陽光発電モジュールを搭載して固定するという構造が採用されることが多いが、設置できる土地が次第に少なくなる傾向にある。そこで、太陽光発電装置を海、湖沼、貯水池、養魚池などに浮かべて設置することが提案されている（特許文献１）。
【０００４】
この種の太陽光発電装置では装置を水に浮かべるフロートが必要であるが、多くの場合には発泡樹脂材料が用いられる。発泡樹脂材料は水によく浮くだけでなく、搬送に便利であり、フロートには最適な材料であるが、紫外線で劣化しやすい。
【０００５】
これに対し、発泡樹脂材料の外表面を耐候性に優れた表皮シートで被覆する構造が提案されている（特許文献２）。しかし、表皮シートは次第に経時劣化し、表皮シートを交換する必要が生じるが、表皮シートの上に太陽光発電モジュールを固定しているので、表皮シートの交換作業の度に、太陽光発電モジュールを外さなければならない。
【０００６】
他方、発泡樹脂製のフロート本体の太陽光発電モジュールを除く部位をプラスチック段ボールなどの遮蔽部材で遮蔽するようにした構造が提案されている（特許文献３）。
【先行技術文献】
【特許文献】
【０００７】
【特許文献１】特開２０１２−９４３６３号公報
【特許文献２】特許第４９１６１６９号公報
【特許文献３】特開２０１４−１３９０３２号公報
【発明の開示】
【発明が解決しようとする課題】
【０００８】
しかし、特許文献３記載の太陽光発電モジュールでは太陽光発電モジュールを取り外す必要はないものの、プラスチック段ボールを使用しているもので、海上における強い紫外線を受けると、経時劣化し、又発泡樹脂製のフロート本体の遮蔽部材で覆われない部分、例えば底面が長期にわたって水に濡れるので、フロート本体が変質して劣化するおそれがあった。
【０００９】
本発明はかかる問題点に鑑み、フロートの耐久性を大幅に向上させることができるようにした太陽光発電装置を提供することを課題とする。
【課題を解決するための手段】
【００１０】
そこで、本発明に係る太陽光発電装置は、水上に設置されて発電を行う太陽光発電装置であって、外殻がステンレス鋼製の薄板を用いて密閉構造の矩形ボックス状に製作され、該外殻内には発泡樹脂材料が充填されてなり、水面に浮かすことのできるフロートと、該フロートの上面に搭載される架台と、該架台上に設置され、太陽光を受光して発電する太陽光発電モジュールと、を備えたことを特徴とする。
【００１１】
本発明の特徴の１つは発泡樹脂材料の外表面全体を密閉構造の矩形ボックス状の外殻で覆い、この外殻をステンレス鋼製の薄板を用いて製作するようにした点にある。
【００１２】
これにより、発泡樹脂製のフロート本体の全体がステンレス鋼製の薄板の外殻で覆われるので、フロート本体が水上の強い紫外線によって経時劣化することがなく、又フロートを水に長期間浮かべていても水で濡れることはなく、水濡れに起因する変質劣化が起こることもない。
【００１３】
フロート上の太陽光発電モジュールのメンテナンスを行う必要がある。そこで、外殻の側面には作業用足場を取付けるようにするのがよい。
【００１４】
フロートの大きさは特に限定されないが、車両の荷台に搭載して運搬できる大きさとするのがよい。
【００１５】
また、上述のフロートも斬新である。すなわち、本発明によれば、水上に設置されて発電を行う太陽光発電装置に用いられるフロートにおいて、外殻がステンレス鋼製の薄板を用いて密閉構造の矩形ボックス状に製作され、該外殻内には発泡樹脂材料が充填されて水面に浮かすことのできるようになっていることを特徴とする太陽光発電装置用のフロートを提供することができる。
【図面の簡単な説明】
【００１６】
【図１】本発明に係る太陽光発電装置の実施形態を示す概略斜視図である。
【図２】上記実施形態を示す分解斜視図である。
【発明を実施するための形態】
【００１７】
以下、本発明を図面に示す具体例に基づいて詳細に説明する。図１及び図２は本発明に係る太陽光発電装置の好ましい実施形態を示す。図において、太陽光発電装置はフロート１０上に架台３０を搭載し架台３０上に太陽光発電モジュール２０を設置して構成されている。
【００１８】
フロート１０は外殻１１内に発泡樹脂材料１２を充填して構成されている。外殻１１はステンレス鋼製の薄板を用い、例えば横６ｍ×幅２ｍ×高さ１ｍの密閉構造の矩形ボックス状に製作され、水面に浮かすことができるようになっている。
【００１９】
架台３０はＨ型鋼や軽量金属、例えばアルミニウム合金製の桟部材を用いて製作され、太陽光モジュール２０はソーラーパネル、制御装置及びバッテリーなどによって製作されている。
【００２０】
また、フロート１０の外殻１１の外側面には作業用足場４０が取付けブラケット４１によって取り付けられている。
【００２１】
以上のように、発泡樹脂製のフロート本体１２の外表面全体を密閉構造の矩形ボックス状の外殻１１で覆い、この外殻１１をステンレス鋼製の薄板を用いて製作するようにしたので、発泡樹脂製のフロート本体１２の全体がステンレス鋼製の薄板の外殻で覆われているので、フロート本体１２が海上の強い紫外線によって経時劣化することがなく、又フロート１０を水上に長期間浮かべていても水で濡れることはなく、水濡れに起因する変質劣化が起こることもない。
【符号の説明】
【００２２】
１０      フロート
１１      外殻
１２      合成樹脂材料
２０      太陽光発電モジュール
３０      架台
４０      作業用足場
【図１】
2016078781.tif 000003
【図２】
2016078781.tif 000004